(57)【特許請求の範囲】
【請求項１】
伸縮性を有する紐体と、該紐体を通す孔を有する玉と、を備える頭髪を結束するための髪留めであって、
前記玉は前記紐体の上を移動可能であり、
前記紐体を屈曲した第１末端部を前記玉の孔に挿通して形成された環状の第１環状部に、前記第１末端部の反対側であって前記紐体の両端の部分である第２末端部を挿通し、形成された環状の第２環状部に頭髪を通して、前記第１環状部を形成する前記紐体と前記第１環状部に挿通された前記紐体との摩擦及び前記紐体と前記孔との摩擦とにより結束することを特徴とする髪留め。
【請求項２】
前記第２末端部には、前記紐体の両端にそれぞれ第２玉が固定され、前記第１環状部から前記第２末端部が抜けることを防ぐことを特徴とする請求項１に記載の髪留め。
【発明の詳細な説明】
【技術分野】
【０００１】
本発明は、頭髪を束ねる髪留めに関するものである。
【背景技術】
【０００２】
従来、頭髪を束ねる髪留めとしては、頭髪の束ねの緩みが生じないように芯ゴムを組紐カバーで被覆した芯ゴム入り組紐をリング状にした装飾ゴムバンドが提案されている（例えば、特許文献１参照）。
【先行技術文献】
【特許文献】
【０００３】
【特許文献１】特開２００２−１７７０４２号公報
【発明の概要】
【発明が解決しようとする課題】
【０００４】
上記特許文献１に記載の装飾ゴムバンドは、１本の芯ゴムの両端部を交差させ、両端面を面接着させて形成された２つの環状のゴムバンドが互いに交差する形状であるが、頭髪3を束ねる際には、従来どおり、交差する２つの環状のゴムバンドの環状部分に髪束を通した後、この環状のゴムバンドを捻じって形成される髪束が通されていない新たな環状部分にさらに髪束を通す動作を繰り返すため、束ね終わるまでに頭髪の束ねが緩み、始めから束ね直さなければならない問題があった。
【０００５】
従って、本発明は、上記のような問題点に着目し、緩めることなく簡易に手早く頭髪を束ねられる髪留めを提供することを目的とする。
【課題を解決するための手段】
【０００６】
上記課題を解決するために、請求項１に記載の発明は、伸縮性を有する紐体と、該紐体を通す孔を有する玉と、を備える頭髪を結束するための髪留めであって、前記玉は前記紐体の上を移動可能であり、紐体を屈曲した第１末端部を前記玉の孔に挿通して形成された環状の第１環状部と、前記第１末端部の反対側であって前記紐体の両端の部分である第２末端部を前記第１環状部に挿通して形成された環状の第２環状部に通した頭髪を前記第１環状部を形成する前記紐体と前記第１環状部に挿通された前記紐体との摩擦及び前記紐体と前記孔との摩擦とにより結束することを特徴とする髪留めである。
【０００７】
請求項２に記載の発明は、請求項１に記載の髪留めにおいて、前記第２末端部には、前記紐体の両端にそれぞれ第２玉が固定され、前記第１環状部から前記第２末端部が抜けることを防ぐことを特徴とする。
【発明の効果】
【０００８】
請求項１に記載の発明によれば、伸縮性を有する紐体を屈曲して形成された第１末端部を玉の孔に通して第１環状部を形成し、この第１環状部に、第１末端部の反対側の紐体の端部である第２末端部を通して第２環状部を形成し、さらに第１末端部側に玉を寄せて第１環状部の環状部分を狭めて第２末端部が抜け難くすることで、第２環状部に髪束を通してから第２末端部を引くと、第１環状部を形成する紐体と第１環状部を通された紐体とが互いに擦れ合って生じる摩擦と、紐体と孔との間に生じる摩擦とによって、第１環状部および第２環状部のいずれも緩まぬことによって、頭髪を緩めることなく結束することができる。
【０００９】
請求項２に記載の発明によれば、第２末端部に第２玉を固定することにより、第１環状部に挿通された第２末端部が引き抜かれないため、第２環状部が解けることなく環状部分が維持される。
【図面の簡単な説明】
【００１０】
【図１】本発明の一実施形態にかかる髪ゴムを示す図である。
【図２】前記髪ゴムを形成する手順を示す図である。
【図３】前記髪ゴムの使用状態を示す図である。
【発明を実施するための形態】
【００１１】
本発明の一実施形態にかかる髪ゴム１を、図１乃至図３を参照して説明する。
【００１２】
図１は、本発明の一実施形態にかかる髪ゴム１を示す図であり、図２は、髪ゴム１を形成する手順（Ａ）乃至（Ｄ）を示す図である。本実施形態にかかる髪ゴム１は、図１に示すとおり、ゴム紐２と、玉３と、第１末端部４と、第１環状部５と、第２末端部６と、第２環状部７とを備え、玉３は孔８を有する。なお、本実施形態では、ゴム紐２は、伸縮性を有する１本の紐体であって、編み込まれた繊維により芯ゴムを被覆したものである。
【００１３】
髪ゴム１を形成する手順について、以下、図２（Ａ）乃至図２（Ｄ）を用いて説明する。図２（Ａ）に示すとおり、ゴム紐２は、中ほどで屈曲された略半分の長さで頭髪を束ねるために用いられるため、屈曲された状態で頭髪を束ねられる程度の長さを有することが必要である。ゴム紐２は、屈曲された部分を第１末端部４として、玉３に形成された孔８に挿通される。
【００１４】
図２（Ａ）に示すとおり、玉３には、玉本体を貫通する孔８が形成されており、孔８は、屈曲されて太さが２倍になったゴム紐２の第１末端部４を挿通可能な太さを有している。玉３は、孔８とゴム紐２との接触部分に摩擦が生じることで、ゴム紐２の上を円滑に動かすことが困難である。なお、玉３は、本実施形態では合成樹脂製である。
【００１５】
図２（Ｂ）に示すとおり、第１環状部５は、孔８に挿通された第１末端部４と玉３とにより形成される。第１環状部５の環状部分の大きさは、第１末端部４と、第１末端部４の反対側であってゴム紐２の両端部分である第２末端部６との間で玉３をゴム紐２の上を移動させることにより自在に変えられる。
【００１６】
次に、図２（Ｃ）に示すとおり、第２末端部６は、第１環状部５に挿通される。この際、第１環状部５の環状部分の大きさは、ゴム紐２上の玉３の位置を第１末端部４に近づけすぎない位置に留めて、第２末端部６を環状部分に容易に通せる大きさを確保する。
【００１７】
図２（Ｄ）に示すとおり、第１環状部５は、第２末端部６が通された後、ゴム紐２上の玉３の位置が３ａから３ｂに動かされることで、環状部分の大きさを挿通されたゴム紐２の太さと同程度まで狭められる。これにより、第１環状部５を形成するゴム紐２と環状部分を挿通するゴム紐２とが互いに接触する部分に摩擦が生じることで、狭められた第１環状部５が緩み難くなる。
【００１８】
第２環状部７は、図２（Ｄ）に示すとおり、第２末端部６が第１環状部５に通されたことにより形成される環状部分である。この第２環状部７には、束ねられた頭髪（髪束）が通される。髪ゴム１は、第２環状部７に髪束が通された後に、第２環状部７の環状部分の大きさが狭まるように第２末端部６が引かれることで頭髪を束ねることができる。この際、第１環状部５の環状部分を形成するゴム紐２と、この環状部分を挿通するゴム紐２との接触部分に生じる摩擦によって締めつけられた第２環状部７のゴム紐２が緩み難くなることで、髪束は結束される。
【００１９】
図３は、髪ゴム１の使用状態を示す図である。髪ゴム１を用いて、頭髪を結束した状態である。本実施形態にかかる髪ゴム１は、第２末端部６の各末端に第２玉をそれぞれ備えている。このため、例えば、結束を解く際に第２環状部７の環状部分が広がる方向にゴム紐２を引いても、狭められた第１環状部５に第２玉が引っ掛かり通らない。これにより、第２環状部７は解けることなく環状部分が維持されるため、髪ゴム１を用いて緩めた髪を束ね直す際に、図２（Ａ）から図２（Ｄ）に示すような手順を踏むことなく直ぐに頭髪を結束することができる。
【００２０】
以上の構成及び動作により、本実施形態では、髪ゴム１は、第２環状部７に髪束を通してから第２末端部６を引くと、第１環状部５を形成するゴム紐２と第１環状部５を通されたゴム紐２とが互いに擦れ合って生じる摩擦と、ゴム紐２と孔８との間に生じる摩擦とによって、第１環状部５および第２環状部７のいずれも緩まないため、束ねた頭髪を緩めることなく結束することができる。
【００２１】
尚、前述した実施形態は本発明の代表的な形態を示したに過ぎず、本発明は、この実施形態に限定されるものではない。即ち、本発明の骨子を逸脱しない範囲で種々変形して実施することができる。かかる変形によってもなお本発明の制動装置の構成を具備する限り、勿論、本発明の範疇に含まれるものである。
【００２２】
例えば、前述した実施形態では、本発明にいう髪留めの一例として、端部を有する１本のゴム紐２が例示されている。しかしながら、髪ゴム１はこのような構成に限るものではなく、予め環状に形成されたゴム紐であってもよい。また、本発明の髪留めを構成するゴム紐の素材は、伸縮性を有する紐体であって頭髪を結束するのに適するものであればよく、ゴムに限定されるものではない。
【符号の説明】
【００２３】
１    髪ゴム
２    ゴム紐
３    玉
４    第１末端部
５    第１環状部
６    第２末端部
７    第２環状部
８    孔
【図１】
0006460855.tif 000002
【図２】
0006460855.tif 000003
【図３】
0006460855.tif 000004